(57)【特許請求の範囲】
【請求項１】
本体下部に取り付けられた水槽と、この水槽に給水する給水タンクと、前記水槽内の水位を検出する水位センサと、本体の側面または上下面に設けた吸込み口および吹出し口と、前記吸込み口と前記吹出し口を導通する通風路に配置された送風装置および加湿フィルタと、前記水槽の水を前記加湿フィルタに遠心力で給水する給水管と、室内の湿度を検出する湿度センサと、加湿運転の状態を表示する加湿表示部と、前記送風装置の駆動制御処理を行うマイクロコンピュータを有し、このマイクロコンピュータは前記湿度センサの検出する室内の湿度変化に応じて、複数の加湿表示モードで加湿表示を行い、前記複数の加湿表示モードの表示方法は前記加湿表示部を複数の加湿表示に分割しその分割された各加湿表示の点灯タイミングを調整することを特徴とする加湿器。
【発明の詳細な説明】
【０００１】
【発明の属する技術分野】
本発明は、室内の温湿度環境に応じて、適切な加湿を行う加湿器に関するものである。
【０００２】
【従来の技術】
従来、この種の加湿器は下記のような構成のものが一般的であった。
【０００３】
以下、その加湿器において図１５および図１６を参照しながら説明する。
図に示すように、加湿器本体１０１下部に着脱可能に取り付けられた水槽１０２を設けている。本体側面に吸込み口１０３を開口し、本体上部に吹出し口１０４を設け、吸込み口１０３と吹出し口１０４を結ぶ通風路には加湿フィルタ１０５が水槽１０２の上部に配置されている。また、本体１内部には速度調節可能な送風装置１０６を設け、前記送風装置１０６のモーター１０６ａと連動して回転し水槽１０２に貯水された水を遠心力により吸い上げる給水管１０７が取り付けられ、この給水管には水槽１０２から吸い上げた水を加湿フィルタ１０５に供給するための放水穴１０８が設けられている。また、加湿器本体１０１上部には送風装置１０６の通電切り、弱設定、強設定を選択できる機械接点のロータリースイッチ１０９を備えている。
【０００４】
上記構成において、まず加湿器本体１０１に商用電源を通電し、ロータリースイッチ１０９を切り設定から弱設定に切り換えると、送風装置１０６は弱に設定された回転数で駆動する。連動して回転する給水管１０７は水槽１０２に貯水された水を遠心力により吸い上げ、加湿フィルタ１０５に放水穴１０８から給水する。送風装置１０６により吸込み口１０３から取り入れられた空気は、水を十分に含んだ加湿フィルタ１０６を通過するときに加湿され、吹出し口１０４から排出されて加湿運転が行われる。
【０００５】
また、ロータリースイッチ１０９を強設定に切り換えた場合も同様で、送風装置１０６の回転速度が速くなるため、加湿フィルタ１０６を経由する風量、加湿フィルタ１０６に給水管１０７から放水される給水量も増加するため、加湿量が増加する。
【０００６】
【発明が解決しようとする課題】
このような従来の加湿器では加湿状態（水分の気化状態）が水蒸気の発生や水分の空気中への噴霧などのように視覚的に認識できず、また送風装置の回転数変化による加湿量の変化、雰囲気湿度条件による加湿量の変化なども使用者は視覚的に認識することはできない。そのため使用者は機器が正常に動作し、正常に加湿されているのか不安になるという課題があり、本体が加湿運転していること、また加湿量が変化していることを使用者が認識できることが要求されている。
【０００７】
また、長期間使用した場合に、水槽内の水の汚れや加湿フィルタの汚染が進行し、加湿効率の低下や加湿空気に悪臭が混入するという課題があり、水槽、加湿フィルタの清掃を警告し、加湿効率の低下や加湿空気に悪臭を生じないことが要求されている。
【０００８】
また警告後に、加湿運転を再開する必要が有るが、その加湿運転の再開をする前に清掃時間のタイマー初期化の設定が必要であり、あるいは警告時でなくても通常使用時に水槽、加湿フィルタの清掃をした場合、清掃時期のタイマー初期化の設定が必要であり、いずれにしても使用者にとって操作が不便であると言う課題が有り、簡単な操作でリセット処理をすることが要求されている。
【０００９】
また、水槽、加湿フィルタの清掃時期になると、突然に加湿運転が不可能な状態になるのは使用者の使い勝手上好ましくないという課題があり、清掃時期が近いという事前の予告を使用者に対して報知することが要求されている。
【００１０】
本発明は、このような従来の課題を解決するものであり、使用者は加湿運転の判別、加湿量の変化を視覚的に認識することができ、水槽水の汚れや加湿フィルタの汚染による加湿効率の低下および悪臭発生を防止することができ、また警告表示の有無に関わらず、清掃終了時に簡単な操作で、初期化と同時に再開運転を行うことができ、また、清掃時期が近いことを、機器を作っていないときでも事前に予告できる加湿器を提供することを目的としている。
【００１１】
【課題を解決するための手段】
本発明の加湿器は上記目的を達成するために、本体下部に取り付けられた水槽と、この水槽に給水する給水タンクと、前記水槽内の水位を検出する水位センサと、本体の側面または上下面に設けた吸込み口および吹出し口と、前記吸込み口と前記吹出し口を連通する通風路に配置された送風装置および加湿フィルタと、前記水槽の水を前記加湿フィルタに遠心力で給水する給水管と、本体上部に設けた制御回路部と、室内の湿度を検出する湿度センサと、加湿運転の有無を表示する加湿表示部と、前記送風装置の駆動制御処理を行うマイクロコンピュータを有し、このマイクロコンピュータは前記湿度センサの検出する室内の湿度変化に応じて、複数の加湿表示モードで加湿表示を行い、前記複数の加湿表示モードの表示方法は前記加湿表示部を複数の加湿表示に分割しその分割された各加湿表示のステップ間のタイミングを調整することを特徴とする。また、他の手段は、本発明の加湿器は上記目的を達成するために、本体下部に取り付けられた水槽と、この水槽に給水する給水タンクと、前記水槽内の水位を検出する水位センサと、本体の側面または上下面に設けた吸込み口および吹出し口と、前記吸込み口と前記吹出し口を連通する通風路に配置された送風装置および加湿フィルタと、前記水槽の水を前記加湿フィルタに遠心力で給水する給水管と、本体上部に設けた制御回路部と、室内の湿度を検出する湿度センサと、加湿運転の有無を表示する加湿表示部と、前記送風装置の駆動制御処理を行うマイクロコンピュータを有し、このマイクロコンピュータは前記湿度センサの検出する室内の湿度変化に応じて、複数の加湿表示モードで加湿表示を行い、前記複数の加湿表示モードの表示方法は前記加湿表示部を複数の加湿表示に分割しその分割された各加湿表示の点灯タイミングを調整することを特徴としたものである。
【００１２】
本発明によれば、使用者は加湿運転の判別、加湿量の変化を視覚的に認識できる加湿器が得られる。
【００１９】
【発明の実施の形態】
本発明は、本体下部に取り付けられた水槽と、この水槽に給水する給水タンクと、前記水槽内の水位を検出する水位センサと、本体の側面または上下面に設けた吸込み口および吹出し口と、前記吸込み口と前記吹出し口を連通する通風路に配置された送風装置および加湿フィルタと、前記水槽の水を前記加湿フィルタに遠心力で給水する給水管と、室内の湿度を検出する湿度センサと、加湿運転の状態を表示する加湿表示部と、前記送風装置の駆動制御処理を行うマイクロコンピュータを有し、このマイクロコンピュータは前記湿度センサの検出する室内の湿度変化に応じて、複数の加湿表示モードで加湿表示を行い、前記複数の加湿表示モードの表示方法は前記加湿表示部を複数の加湿表示に分割しその分割された各加湿表示のステップ間のタイミングを調整することを特徴とするものであり、加湿器の動作処理状態、および湿度センサの検出値からマイクロコンピュータは加湿状態の有無、加湿量増減の変化の判断を行い、加湿表示部に表示することができるという作用を有する。また、複数の加湿表示モードで加湿表示を行い、前記複数の加湿表示モードの表示方法は前記加湿表示部を複数の加湿表示に分割しその分割された各加湿表示の点灯タイミングを調整することを特徴とするものであり、加湿器の動作処理状態、および湿度センサの検出値からマイクロコンピュータは加湿状態の有無、加湿量増減の変化の判断を行い、加湿表示部に表示することができるという作用を有する。
【００２３】
以下、本発明の実施例について図面を参照しながら説明する。
【００２４】
【実施例】
（実施例１）
図１〜図７に示すように加湿器本体１の下部に着脱可能に取り付けられた水槽２を設け、この水槽２の水位を一定に保ちつつ給水するカートリッジ式の給水タンク３と、水槽２内の水位を検出する水位センサ４を設けている。本体１側面に吸込み口５を開口し、本体１上部に吹出し口６を設け、吸込み口５と吹出し口６を結ぶ通風路には加湿フィルタ７が水槽２の上部に配置されている。また本体１内部には速度調節可能な送風装置８を設け、送風装置８のモーター８ａに連動して回転される給水管９を設けている。この給水管９は水槽２に貯水された水を加湿フィルタ７に放水穴１０を介して給水している。
【００２５】
また、本体上部に設けた操作パネル部１１の内部には制御回路部１２が配置され、室内の湿度を検出する湿度センサ１３が本体側面に設けられたセンサ窓１４近傍に配置されている。操作パネル部１１の表面には加湿運転を切り入りする運転切／入スイッチ１５と、自動運転と手動運転を切り換える運転切換スイッチ１６と、運転時間の設定を行う切タイマースイッチ１７を設けている。上記運転切／入スイッチ１５、運転切換スイッチ１６、切タイマースイッチ１７の設定状態を発光ダイオードの点灯で表示する設定表示部１８を設け、この設定表示部１８は、水位センサ４の検出により、水槽２の渇水状態を発光ダイオードの点滅で表示する渇水ランプ１９を備えている。また、操作パネル部１１には、湿度センサ１３が検出した室内の湿度を発光ダイオードの点灯で表示する湿度表示部２０と、加湿運転の状態を発光ダイオードの点灯で表示する加湿表示部２１を設けている。なお制御回路部１２に搭載したマイクロコンピュータ２２は運転切／入スイッチ１５、運転切換スイッチ１６、タイマースイッチ１７の入力に対する設定表示部１８および湿度センサ１３の検出値に対する湿度表示部２０の表示制御と、加湿表示部２１の表示制御と、送風装置８の駆動制御を行うものである。
【００２６】
また、湿度表示部２０は各湿度領域を５段階で表示するもので、湿度センサ１３による室内の雰囲気湿度の検出値に応じて５個の発光ダイオードが点灯するようになっている。湿度検出値が３５％未満で点灯する３０表示２０ａ、３５％〜４５％で点灯する４０表示２０ｂ、４５％〜５５％で点灯する５０表示２０ｃ、５５％〜６５％で点灯表示する６０表示２０ｄ、６５％以上で点灯する７０表示２０ｅに５分割される。
【００２７】
また、加湿表示部２１は３分割され加湿１表示２１ａ、加湿２表示２１ｂ、加湿３表示２１ｃとなり、それぞれ単独で表示機能を持っている。各加湿運転については手動運転時の設定は送風装置５が弱回転で駆動する弱設定、強回転で駆動する強設定の２種類としている。自動運転を選択した場合は、湿度センサ１３による室内の雰囲気湿度の検出値に応じた運転が（表１）に示すように設定されている。
【００２８】
【表１】
0004316030.tif 000002
【００２９】
上記構成において主要な動作を説明すると図７のフローチャートに示すようにステップ７１で加湿器本体１に通電され、ステップ７２でマイクロコンピュータ２２が動作すると同時に、ステップ７３で運転切／入スイッチ１３の入力判断を行っており、運転切／入スイッチの入力がある場合はステップ７４で水位センサ４の状態を渇水か渇水でないか判断する。渇水でない場合ステップ７５で送風装置８の駆動を行い、ステップ７６に移り加湿運転の実行を確認する。つぎにステップ７７では、送風装置８が弱回転であるか強回転であるかの判別を行い、つぎのステップ７８ａ、７８ｂで湿度センサによる雰囲気湿度の検出値の判別に入る。この湿度センサの検出値は湿度表示部１９の湿度表示にも使用されている。ステップ７８ａ、７８ｂでは４５％以上、未満の判断を行う。判別の結果ステップ７９ａ、７９ｂ、７９ｃに移り、（表２）のように送風装置８の回転と湿度センサー１３の検出範囲で設定された加湿表示モード１、２、３で加湿表示を行う。
【００３０】
【表２】
0004316030.tif 000003
【００３１】
この加湿表示モード１、２、３の表示方法は（表３）に示すように、各表示ステップ間のタイミングを調整している。
【００３２】
【表３】
0004316030.tif 000004
【００３３】
つぎにステップ７９ａ、７９ｂ、７９ｃでそれぞれの表示モードの実行中ステップ７１０ａ、７１０ｂ、７１０ｃで送風装置駆動の変更、湿度検出値の変更について判別を行う。ここで変更がない場合はステップ７９ａ、７９ｂ、７９ｃを継続する。変更があった場合ステップ７６に戻る。ステップ７３で運転切／入スイッチの入力がない場合は運転切／入スイッチの入力があるまで無限ループに入る。また、ステップ７４で渇水である場合ステップ７４１で渇水表示を行いステップ７３に戻る。また、ステップ７６で加湿運転の実効が確認できない場合ステップ７３に戻る。
【００３４】
従って、送風装置の駆動に対して、加湿運転の確認をマイクロコンピュータ２２は常に行い、また加湿運転に対して送風装置の回転数の判別、湿度検出値による湿度表示とともに検出湿度範囲の判別も行い、それぞれの回転数、検出湿度範囲にあわせた表示モードで、加湿表示部に加湿運転の有無と加湿状態の変化を表示することとなる。
【００３５】
（参考例１）図２、図３ないし図８〜図１０に示すように操作パネル部１１に警告表示部２３を設けお手入れ表示としている。また、制御回路部１２にはマイクロコンピュータ２２がカウントしている通電時間を一定時間毎に取り込み、通電時間の記憶処理を行う記憶処理部２４を設けている。通電時間のカウントは加湿器が通電状態の間は常時行うが、記憶処理部２４に記憶されているカウント時間が０で水位センサ４の信号が渇水である場合、マイクロコンピュータ２２の通電時間のカウントは行わず、水位センサ４の信号が満水になってからカウントをスタートする。
【００３６】
上記構成において主要な動作を説明すると、図１０のフローチャートに示すようにステップ１０１で加湿器本体１に通電され、ステップ１０２でマイクロコンピュータ２２が動作すると同時に、ステップ１０３で記憶処理部２３の積算通電時間の記憶データを確認するステップ１０４では記憶データが１４日以下であるかの判別を行っており、１４日以下であればステップ１０５に移り記憶データが０でないか判別する。０でなければステップ１０６に移り記憶処理部２３に記憶されていた積算通電時間の続きからカウントを始める。ステップ１０７でカウント中のデータが１４日以下であるかの判断を行い、１４日以下である場合ステップ１０８に移りカウントを始めて２１分経過したか判別する。２１分経過していない場合ステップ１０７に戻りカウントを継続する。この間は、通常の加湿運転は可能である。２１分経過した場合は記憶処理部２３の記憶データを更新する。ステップ１０４で記憶処理部２３の記憶データ、ステップ１０７でカウント中のデータが１４日以上である場合ステップ１０４ａに移り警告表示部２２に警告表示を行う。つぎにステップ１０４ｂに移り加湿運転を停止する。ステップ１０５で記憶処理部２４の記憶データが０の場合ステップ１０５ａに移り渇水の判別を行う。渇水である場合ステップ１０５ｂに移り通電時間のカウントは行わない。またステップ１０５ａで渇水でない場合はステップ１０６に移り通電時間のカウントを０からスタートする。
【００３７】
従って、水槽２内の水や、加湿フィルタ７の汚染が引き起こす加湿量の低下、加湿空気の悪臭気などの影響を防ぎ、使用者に清掃時期を警告するとともに良好な状態で加湿運転を行えるように促すことができる。
【００３８】
（参考例２）図２、図３ないし図１１〜図１３に示すように操作パネル部１１に警告表示部２３を設けお手入れ表示とし、また、同部分に警告表示部２４の表示解除と、加湿運転の再開と、記憶処理部の記憶データのリセットを行うためのリセットスイッチ２５を設けている。警告表示時にリセットスイッチ２５の入力を検出したマイクロコンピュータ２２は発光ダイオードの点灯による警告表示部の表示を消灯し、運転切／入スイッチ１５の入力待機状態にする。また、記憶処理部２４と通信を行い、通電時間のカウントデータを０に初期化する。また、リセットスイッチ２５は常時入力可能であり、通常の運転状態であればいつでも記憶処理部２４のカウントデータを０に初期化する。
【００３９】
上記構成において主要な動作を説明すると、図１３のフローチャートに示すようにステップ１３１で記憶処理部２４の記憶データを確認しステップ１３２で記憶データが１４日以下であるか判別する。１４日以下である場合ステップ１３３に移り記憶データの続きから通電時間のカウントを始める。つぎにステップ１３４でカウント中のデータが１４日以下であるか判別する。１４日以下である場合ステップ１３５でリセットスイッチ２４の入力判別を行う。リセットスイッチ２４の入力がある場合記憶処理部２４の記憶データを初期化しステップ１３４に移る。ステップ１３２、１３４で１４日以下でなかった場合、ステップ１３７に移り警告表示部に警告表示する。ステップ１３８では加湿運転を停止する。
【００４０】
つぎにステップ１３９でリセットスイッチ２５の入力判別を行っており、入力があった場合ステップ１３０ａで警告表示の解除、ステップ１３０ｂで加湿運転の再開を可能にしステップ１３６に移る。ステップ１３９ではリセットスイッチ２５の入力があるまで無限ループとなる。ステップ１３５でリセットスイッチ２５の入力がない場合ステップ１３５ａに移りカウント中のデータが２１分経過しているかの判別を行う。通常マイクロコンピュータ２２と記憶処理部２４の通信は、記憶処理部２４のデータ更新による書き込み耐久性を保持するため２１分毎に行う。２１分経過している場合ステップ１３５ｂに移り記憶処理部２４の記憶データを２１分経過したデータに更新し、ステップ１３３に移る。ステップ１３５ａで２１分経過していない場合ステップ１３４に移る。
【００４１】
従って加湿器の水槽２、加湿フィルタ７の清掃時期警告表示の解除、加湿運転の再開、記憶処理部２４の記憶データの初期化がリセットスイッチ２５の一回の操作ででき、また清掃時期警告表示の前に水槽２、加湿フィルタ７を清掃した場合でも記憶処理部２４の記憶データを初期化できるリセットスイッチ２５が設けられることとなる。
【００４２】
（参考例３）図２、図３ないし図１１、図１２に示すように加湿機を長時間使用している場合に、清掃時期が近づいたことを警告表示部に警告予備表示できるようになっている。
【００４３】
この動作を説明すると図１４のフローチャートに示すようにステップ１４１で記憶処理部２４の記憶データを確認しステップ１４２で記憶データが１４日以下であるか判別する。１４日以下である場合ステップ１４３に移り記憶データが１３日以下であるか判別する。１３日以下である場合ステップ１４４に移り記憶データの続きから通電時間のカウントを始める。つぎにステップ１４５でカウント中のデータが１４日以下であるか判別する。１４日以下である場合ステップ１４６で記憶データが１３日以下であるか判別する。１３日以下である場合ステップ１４７でリセットスイッチ２５の入力判別を行う。リセットスイッチ２５の入力がある場合ステップ１４８で記憶処理部２４の記憶データを初期化しステップ１４４に移る。ステップ１４３で１３日以下でなかった場合、ステップ１４７に移り警告表示部に警告表示を点滅で表示し、ステップ１４４に移る。この時、加湿運転は通常通りに実行できる。同じく、ステップ１４６で１３日以下でなかった場合、ステップ１４７に移り警告表示部２３に警告表示を点滅で表示し、ステップ１４７に移る。この時、加湿運転は通常通りに実行できる。また、ステップ１４２、１４５で１４日以下でない場合はステップ１４９に移り警告表示部２３に警告表示を点灯で表示する。ステップ１４ａでは加湿運転を停止する。つぎにステップ１４ｂでリセットスイッチ２５の入力判別を行っており入力があった場合ステップ１４ｃで警告表示の解除、ステップ１４ｄで加湿運転の再開を可能にしステップ１４８に移る。ステップ１４ｂではリセットスイッチ２５の入力があるまで無限ループとなる。ステップ１４７でリセットスイッチ２５の入力がない場合ステップ１４７ａに移りカウント中のデータが２１分経過しているかの判別を行う。２１分経過している場合ステップ１４７ｂに移り記憶処理部の記憶データを更新し、ステップ１４４に移る。ステップ１４７ａで２１分経過している場合ステップ１４５に移る。
【００４４】
従って、加湿器の水槽２、加湿フィルタ７の清掃時期警告表示となり加湿運転が停止するまえに事前に警告時期が近いことを使用者に報知することができることとなる。
【００４５】
【発明の効果】
以上の実施例から明らかなように、本発明によれば加湿器の加湿状態の有無、送風装置の回転数変化、雰囲気湿度条件による加湿量の変化が水蒸気の発生や水分の噴霧などのように使用者が視覚的に認識することができ、機器が正常に動作していることが一目で認識できるという効果のある加湿器を提供できる。
【図面の簡単な説明】
【図１】本発明の加湿器の実施例１の要部拡大図
【図２】実施例１、参考例１〜参考例３の本体断面図
【図３】同斜視図
【図４】実施例１の湿度表示部の拡大図
【図５】同加湿表示部の拡大図
【図６】同ブロック回路図
【図７】同フローチャート
【図８】参考例１の要部拡大図
【図９】同ブロック回路図
【図１０】同フローチャート
【図１１】参考例２の部分拡大図
【図１２】同ブロック回路図
【図１３】同フローチャート
【図１４】参考例３のフローチャート
【図１５】従来の加湿器の断面図
【図１６】同要部拡大図
【符号の説明】
１ 本体
２ 水槽
４ 水位センサ
５ 吸込み口
６ 吹出し口
７ 加湿フィルタ
８ 送風装置
９ 給水管
１２ 制御回路部
１３ 湿度センサ
２１ 加湿表示部
２２ マイクロコンピュータ
２３ 記憶処理部
２４ 警告表示部
２５ リセットスイッチ
【図１】
0004316030.tif 000005
【図２】
0004316030.tif 000006
【図３】
0004316030.tif 000007
【図４】
0004316030.tif 000008
【図５】
0004316030.tif 000009
【図６】
0004316030.tif 000010
【図７】
0004316030.tif 000011
【図８】
0004316030.tif 000012
【図９】
0004316030.tif 000013
【図１０】
0004316030.tif 000014
【図１１】
0004316030.tif 000015
【図１２】
0004316030.tif 000016
【図１３】
0004316030.tif 000017
【図１４】
0004316030.tif 000018
【図１５】
0004316030.tif 000019
【図１６】
0004316030.tif 000020